(57)【要約】      （修正有）【課題】磨耗面の寿命を延ばすと共に、線材の使用量を少なくでき、迅速かつ容易にケージに取り付けたり、ケージから取り外したりできる猫用爪とぎ板を提供する。【解決手段】板体１０の一面に形成された磨耗面２０と少なくとも１つの固定構造体を含み、板体１０の一面に爪とぎ用線材２１を水平に配列して被覆すると共に、複数の固定部材２５で爪とぎ用線材２１を板体１０に固定して磨耗面２０を形成する。板体１０の磨耗面２０に相対する面に設置される固定構造体は、支持部材と連結部材から成り、支持部材が連結部材に移動可能に設置され、支持部材と板体１０の間にケージ取付用の挟み込み空間が形成される。【選択図】図３
0003174534.tif 000002
【実用新案登録請求の範囲】
【請求項１】
猫用爪とぎ板であって、板体と、前記板体の一面に設けられた爪とぎ面ユニットとを備え、前記爪とぎ面ユニットが、少なくとも１つの爪とぎ用線材と、該爪とぎ用線材を前記板体に固定する複数の固定部材を含み、前記爪とぎ用線材が前記板体の一端を位置決め始端とし、前記爪とぎ用線材を前記板体上に水平に配列し、前記位置決め始端から他方の一端へ延伸してから折り返して折り返し端が形成され、かつ複数回の反覆を経て密集させて水平に配列することにより複数の折り返し端が形成され、さらに前記板体の端部を位置決め末端とし、前記板体を前記爪とぎ用線材で被覆して磨耗面が構成され、前記複数の固定部材は前記位置決め始端、折り返し端及び位置決め末端の位置に設置され、前記爪とぎ用線材が前記板体上を被覆して固定されることを特徴とする、猫用爪とぎ板。
【請求項２】
前記爪とぎ用線材が麻紐であることを特徴とする、請求項１に記載の猫用爪とぎ板。
【請求項３】
前記固定部材が、前記板体内部に嵌入されて位置決めされる釘針材であることを特徴とする、請求項１に記載の猫用爪とぎ板。
【請求項４】
前記爪とぎ用線材と前記板体の間に接着剤層を設けたことを特徴とする、請求項１に記載の猫用爪とぎ板。
【請求項５】
前記板体の前記爪とぎ面ユニットと相対する面に、ケージに取り付けるための少なくとも１つの固定構造体が設置されたことを特徴とする、請求項１に記載の猫用爪とぎ板。
【請求項６】
前記固定構造体が、前記板体に連結され、かつ板体から外側に向かって突出された連結部材と、前記板体と平行で、前記連結部材の外側に突出した部分に移動可能に設置された支持部材と、前記連結部材に螺合され、前記支持部材を前記連結部材に対して位置決めする位置決め部材とから成ることを特徴とする、請求項５に記載の猫用爪とぎ板。
【請求項７】
前記板体の前記固定構造体が取り付けられる面に少なくとも１つの開孔が形成され、前記連結部材が、前記開孔の内部に設置されたＴナットと、該Ｔナットに螺着された止めネジより成ることを特徴とする、請求項６に記載の猫用爪とぎ板。
【請求項８】
前記止めネジの前記開孔に挿入される一端において、ネジ山にほぞ溝が形成されたことを特徴とする、請求項７に記載の猫用爪とぎ板。
【請求項９】
前記支持部材に穿通孔が開設され、前記連結部材が摺動可能に挿通されるカバーナットを前記穿通孔内部に設置したことを特徴とする、請求項６に記載の猫用爪とぎ板。
【請求項１０】
前記位置決め部材が、前記連結部材のネジ上を移動する蝶ナットであることを特徴とする、請求項６に記載の猫用爪とぎ板。
【請求項１１】
猫用爪とぎ板であって、板体と、前記板体の一面を被覆して磨耗面を形成する少なくとも１つの爪とぎ用線材と、前記板体に設置された少なくとも１つの固定構造体を含み、前記固定構造体と前記板体の間にケージ取付用の挟み込み空間が形成された、猫用爪とぎ板。
【請求項１２】
前記固定構造体が、前記板体に連結され、かつ板体から外側に向かって突出された連結部材と、前記板体と平行で、前記連結部材の外側に突出した部分に移動可能に設置された支持部材と、前記連結部材に螺合され、前記支持部材を前記連結部材に対して位置決めする位置決め部材とから成ることを特徴とする、請求項１１に記載の猫用爪とぎ板。
【請求項１３】
前記板体の前記固定構造体が取り付けられる面に少なくとも１つの開孔が形成され、前記連結部材が、前記開孔の内部に設置されたＴナットと、該Ｔナットに螺着された止めネジより成ることを特徴とする、請求項１２に記載の猫用爪とぎ板。
【請求項１４】
前記止めネジの前記開孔に挿入される一端において、ネジ山にほぞ溝が形成されたことを特徴とする、請求項１３に記載の猫用爪とぎ板。
【請求項１５】
前記支持部材に穿通孔が開設され、前記連結部材が摺動可能に挿通されるカバーナットを前記穿通孔内部に設置したことを特徴とする、請求項１２に記載の猫用爪とぎ板。
【請求項１６】
前記位置決め部材が、前記連結部材のネジ上を移動する蝶ナットであることを特徴とする、請求項１２に記載の猫用爪とぎ板。
【請求項１７】
前記板体の一面に爪とぎ面ユニットが設けられ、前記爪とぎ面ユニットは、少なくとも１つの爪とぎ用線材と、該爪とぎ用線材を前記板体に固定する複数の固定部材を含み、前記爪とぎ用線材が前記板体の一端を位置決め始端とし、前記爪とぎ用線材を前記板体上に水平に配列し、前記位置決め始端から他方の一端へ延伸してから折り返して折り返し端が形成され、かつ複数回の反覆を経て密集させて水平に配列することにより複数の折り返し端が形成され、さらに前記板体の端部を位置決め末端とし、前記板体を前記爪とぎ用線材で被覆して磨耗面が構成され、前記複数の固定部材は前記位置決め始端、折り返し端及び位置決め末端の位置に設置され、前記爪とぎ用線材が前記板体上を被覆して固定されることを特徴とする、請求項１１に記載の猫用爪とぎ板。
【請求項１８】
前記爪とぎ用線材が麻紐であることを特徴とする、請求項１７に記載の猫用爪とぎ板。
【請求項１９】
前記固定部材が、前記板体内部に嵌入されて位置決めされる釘針材であることを特徴とする、請求項１７に記載の猫用爪とぎ板。
【請求項２０】
前記爪とぎ用線材と前記板体の間に接着剤層を設けたことを特徴とする、請求項１７に記載の猫用爪とぎ板。
【考案の詳細な説明】
【技術分野】
【０００１】
本考案は、摩耗面を改良し、容易にケージに取り付けたり、ケージから取り外したりすることができる猫用爪とぎ板に関する。
【背景技術】
【０００２】  生活レベルの向上と年齢構成の変化に伴い、精神生活をより豊富にすることを願う傾向にあり、猫を飼うことは人々に生活上の楽しみをもたらしている。  爪を研ぐことは猫の天性であり、研ぐことによって尖らせた爪により、往々にして家の中の家具やケーブルを破損してしまう。（公序良俗違反につき、不掲載）ため、飼い主は室内で飼っている猫に爪磨き用具を提供し、ペットに快適で安全な爪磨きの環境を与えている。【０００３】
従来の猫用爪とぎ板は、図１に示すように、多くが板体１に線形材料２を巻きつけて爪とぎ板３を構成している。爪とぎ板３は、表裏両面にそれぞれ猫の爪とぎに供することができる爪とぎ面４を備えている。
しかしながら、爪とぎ面４は長期間使用すると線形材料２が断裂し、爪とぎ面４上の線形材料２が板体１から外れ、爪とぎ面４が使用できなくなる。また、爪とぎ板３は線形材料２が板体１上に巻きつけられて成るため、必要な線型材料２の使用量が相対して多く、製造コストの無駄となる。
また多くの猫が訓練を経てやっと適切な場所で爪を研ぐようになり、室内のその他家具や内装の破壊を回避できるため、飼い主は猫をケージの中に入れて猫用爪とぎ板を使用して爪を研ぐように訓練する必要があるが、従来の猫用爪とぎ板は、ケージ内に簡単に設置することができず、猫に猫用爪とぎ板を利用して爪を研がせる訓練をするには不便であるという欠点がある。
【考案の概要】
【考案が解決しようとする課題】
【０００４】
本考案が解決しようとする課題は、磨耗面の寿命を延ばし、かつ線材の使用量を少なくできる猫用爪とぎ板を提供することにある。
【課題を解決するための手段】
【０００５】
本考案の猫用爪とぎ板は、板体と、前記板体の一面に設けられた爪とぎ面ユニットとを備え、前記爪とぎ面ユニットが、少なくとも１つの爪とぎ用線材と、該爪とぎ用線材を前記板体に固定する複数の固定部材を含む。前記爪とぎ用線材が前記板体の一端を位置決め始端とし、前記爪とぎ用線材を前記板体上に水平に配列し、前記位置決め始端から他方の一端へ延伸してから折り返して折り返し端が形成され、かつ複数回の反覆を経て密集させて水平に配列することにより複数の折り返し端が形成され、さらに前記板体の端部を位置決め末端とし、前記板体を前記爪とぎ用線材で被覆して磨耗面が構成され、前記複数の固定部材は前記位置決め始端、折り返し端及び位置決め末端の位置に設置され、前記爪とぎ用線材が前記板体上を被覆して固定される。
【０００６】
板体の爪とぎ面ユニットと相対する面に少なくとも１つの固定構造体が設置され、固定構造体と板体の間にケージ取付用の挟み込み空間が形成される。
爪とぎ用線材と板体の間に接着剤層を設け、爪とぎ用線材と板体の固定を強化して、磨耗面の耐久性を高めることができる。
板体の固定構造体が取り付けられる面に少なくとも１つの開孔を設け、かつ、開孔内部に設置されたＴナットと、Ｔナット内部に螺合され、板体から外側に向かって突出して延伸された止めネジとから成る連結部材を設置してもよい。前記止めネジの開孔への挿入端において、ネジ山にほぞ溝が設けられ、このほぞ溝がＴナットに噛み合わされて、止めネジが板体の開孔に完全に穿通されることがないように構成される。
【０００７】
さらに、連結部材の外側に突出した部分に相対的に移動可能な支持部材が設置されることがある。前記支持部材には穿通孔が設けられ、かつ穿通孔内にカバーナットが設置され、連結部材が前記カバーナットに摺動可能に挿通され、さらに蝶ナットより成る位置決め部材が連結部材に螺合されて、支持部材が板体と平行に保持されて位置決めされる。
爪とぎ用線材は、靭性線形材料とし、麻紐または綿紐、ナイロン紐のいずれかの線形材料から構成してもよい。
固定部材は、板体内部に嵌入して固定される硬性材料とし、リベット、Ｕ字形釘または鉄釘のいずれかの釘針材としてもよい。
【考案の効果】
【０００８】
本考案の猫用爪とぎ板によれば、爪とぎ用線材を水平に配列して板体を被覆し、固定部材で板体両側に爪とぎ用線材を固定しており、各水平の線材両側がそれぞれ固定部材で固定され、且つ板体の一面のみを被覆しているため、磨耗面の耐久性を高め、線材の使用量を減少することができる。
また、板体の磨耗面と逆側の面に固定構造体を延伸して設置し、固定構造体の支持部材と板体の間にケージ取付用の挟み込み空間を形成し、支持部材を連結部材に対して位置決めする位置決め部材を連結部材に螺合すれば、支持部材と板体でケージを挟んで固定し、猫用爪とぎ板を迅速にケージ内に取り付けたり、ケージから取り外したりすることができる。
【図面の簡単な説明】
【０００９】
【図１】従来の猫用爪とぎ板の斜視図である。
【図２】本考案の実施例を示す猫用爪とぎ板の分解斜視図である。
【図３】本考案の実施例を示す猫用爪とぎ板の斜視図である。
【図４】本考案の実施例を示す猫用爪とぎ板と固定構造体の分解斜視図である。
【図５】本考案の実施例に係る止めネジの斜視図である。
【図６】本考案の実施例を示す猫用爪とぎ板と固定構造体の断面図である。
【図７】本考案の実施例に係る猫用爪とぎ板を取り付けたケージの斜視図である。
【考案を実施するための形態】
【００１０】
以下、本考案の実施例を図面に基づいて詳細に説明する。
本考案の猫用爪とぎ板は、図２と図３に示すように、板体１０と、板体１０の適切な一面に設けられた爪とぎ面ユニット１１とを備える。
爪とぎ面ユニット１１は、少なくとも１つの爪とぎ用線材２１と、爪とぎ用線材２１を板体１０に固定する複数の固定部材２５を含む。
爪とぎ用線材２１は、板体１０の一側辺を位置決め始端２２とし、位置決め始端２２から出発して水平に爪とぎ面ユニット１１上に配列されて板体１０の他方の一側に延伸され、さらに板体１０の他方の一側で折り返されて爪とぎ用線材２１に折り返し端２３が形成され、再び折り返し端２３から水平に爪とぎ面ユニット１１上に配列されて板体１０の一側に延伸され、板体１０の一側で折り返されて爪とぎ用線材２１に別の折り返し端２３が形成され、上述の配列を繰り返して適切な磨耗面２０の大きさが形成されるまで板体１０を被覆し、板体１０の適切な側辺で爪とぎ用線材２１に位置決め末端２４を形成する。
位置決め始端２２、折り返し端２３及び位置決め末端２４上にそれぞれ固定部材２５が設けられ、固定部材２５により爪とぎ用線材２１が板体１０に固定され、磨耗面２０全体が完全に構成される。
【００１１】
本実施例では、爪とぎ用線材２１と板体１０の間にはさらに接着剤層２６が設けられ、爪とぎ用線材２１と板体１０間の固定をより強化するために用いられる。
接着剤層２６は白ボンドとしてもよい。また、爪とぎ用線材２１は、麻紐、綿紐またはナイロン紐のいずれかの靭性線形材料とする。さらに、固定部材２５は、板体１０内部に嵌入して固定される釘針材とし、釘針材はリベット、Ｕ字形釘、または鉄釘のいずれかの嵌入式硬性材料としてもよい。
【００１２】
図４に示すように、板体１０の磨耗面２０とは逆側の面に少なくとも１つの固定構造体３０を延伸して設ける。
固定構造体３０は、連結部材３３と、支持部材３５と、位置決め部材３６とから成る。
板体１０の固定構造体３０を取り付ける面の上端と下端に開孔３１が設けられ、開孔３１の内部にＴナット３２が設置される。また、止めネジ３４がＴナット３２に螺着されて、板体１０から外側に突出して延伸される連結部材３３が形成される。
【００１３】
さらに、連結部材３３の板体１０から外側に突出した部分に、板体１０と平行な板状の支持部材３５が相対的に移動可能に設置される。支持部材３５には穿通孔３５１が設けられ、止めネジ３４が支持部材３５に挿通されて延伸され、止めネジ３４に位置決め部材３６が設置される。位置決め部材３６は蝶ナット３６１より成り、この蝶ナット３６１が止めネジ３４に螺合され、支持部材３５を板体１０に対して保持する。
また、蝶ナット３６１の保持圧力が支持部材３５を破損することがないように、穿通孔３５１内にはカバーナット３５２が設置され、且つカバーナット３５２内部の雌ネジが除去され、カバーナット３５２に連結部材３３を挿通させて、相対的に摺動可能とし、且つ蝶ナット３６１の保持圧力を緩和する。
【００１４】
図５に示すように、止めネジ３４の開孔３１に挿入される一端において、ネジ山の適切な箇所にほぞ溝３４１が設けられる。
ネジ山を潰してほぞ溝３４１を形成したことにより、止めネジ３４をＴナット３２に螺合するとき、止めネジ３４が完全に板体１０の開孔３１を貫通することがなく、止めネジ３４が開孔３１を貫通することによる爪とぎ用線材２１の磨耗破壊を減少することができる。
【００１５】
図６と図７に示すように、本考案の猫用爪とぎ板をケージ５０に取り付けるときは、まず板体１０をケージ５０の内側に置き、止めネジ３４を板体１０上端の開孔３１のＴナット３２に螺着した後、ケージ５０の外側で支持部材３５のカバーナット３５２に止めネジ３４を穿通させ、支持部材３５と板体１０の間に挟み込み空間４０を形成し、最後に蝶ナット３６１を止めネジ３４に螺合して、止めネジ３４上で支持部材３５を移動させ、支持部材３５と板体１０でケージ５０を挟み付け、猫用爪とぎ板全体をケージ５０上に固定することができる(図７参照)。
【００１６】
また、板体１０の上部の開孔３１に固定構造体３０を固定すると、板体１０の重心が下方にあるため、猫が爪を研ぐとき、板体１０が揺動しにくい。且つ、猫は通常板体１０の上端部のみで爪を研ぐため、板体１０上端の磨耗面２０が損壊したら、板体１０を上下１８０度旋回させ、板体１０の他方の開孔３１を使用して、固定構造体３０を固定し、猫が爪を研ぐときに磨耗面２０の全体を利用できるようにする。
【００１７】
本考案は上記した実施例に限定されるものではなく、本考案の要旨を逸脱せずに行った簡易な変形や修飾はすべて、本考案の権利範囲に含まれる。
【符号の説明】
【００１８】
１          板体
２          線形材料
３          爪とぎ板
４          爪とぎ面
１０        板体
１１        爪とぎ面ユニット
２０        磨耗面
２１        爪とぎ用線材
２２        位置決め始端
２３        折り返し端
２４        位置決め末端
２５        固定部材
２６        接着剤層
３０        固定構造体
３１        開孔
３２        Ｔナット
３３        連結部材
３４        止めネジ
３４１      ほぞ溝
３５        支持部材
３５１      穿通孔
３５２      カバーナット
３６        位置決め部材
３６１      蝶ナット
４０        挟み込み空間
５０        ケージ
【図１】
0003174534.tif 000003
【図２】
0003174534.tif 000004
【図３】
0003174534.tif 000005
【図４】
0003174534.tif 000006
【図５】
0003174534.tif 000007
【図６】
0003174534.tif 000008
【図７】
0003174534.tif 000009
【手続補正書】
【提出日】平成24年1月31日(2012.1.31)
【手続補正１】
【補正対象書類名】明細書
【補正対象項目名】０００２
【補正方法】変更
【補正の内容】
【０００２】
生活レベルの向上と年齢構成の変化に伴い、精神生活をより豊富にすることを願う傾向にあり、猫を飼うことは人々に生活上の楽しみをもたらしている。
爪を研ぐことは猫の天性であり、研ぐことによって尖らせた爪により、往々にして家の中の家具やケーブルを破損してしまう。このため、飼い主は室内で飼っている猫に爪磨き用具を提供し、ペットに快適で安全な爪磨きの環境を与えている。